(57)【特許請求の範囲】
【請求項１】
収納棚が設けられたキャビネット本体の前面に、鏡がその裏面に取り付けられた摺動機構を介して水平方向に移動可能に保持されたミラーキャビネットであって、上記摺動機構が、キャビネット本体の収納棚の下面に固定された支持台と、この支持台に摺動可能に係合したスライドレールとで構成されていることを特徴とするミラーキャビネット。
【請求項２】
鏡に枠体が取り付けられ、この枠体にスライドレールが固定されたことを特徴とする請求項１記載のミラーキャビネット。
【発明の詳細な説明】
【０００１】
【発明の属する技術分野】
本発明は、収納棚の前面が扉を兼ねる鏡で覆われたミラーキャビネットに関する。
【０００２】
【従来の技術】
従来、この種のミラーキャビネットとしては、図８に示すような洗面化粧ユニット２０におけるサイド収納部２１があった。このサイド収納部２１は、洗面化粧ユニット２０の正面に据え付けられた大型の鏡２２の一側に設けられ、合成樹脂で一体成形された棚部（図示せず）に、この棚部の前面を開閉し得るように、扉を兼ねる鏡２３をその一側で枢着したものである。
【０００３】
また、この他に鏡を横方向に摺動させるようにしたものとしては、実開昭６２−１７９３９号に示されるものがあった。これは、図９に示したように、合成樹脂で棚部３０ａ，３０ｂ，３０ｃが一体成形されたミラーパネル本体３０の前面に、上下に対向するように一対のレール３１，３２を付設し、このレール３１，３２に、スライド扉となる鏡３３を摺動自在に嵌装したものである。
【０００４】
【発明が解決しようとする課題】
上述した従来のミラーキャビネットは、まず図８に示したものは、扉を兼ねる鏡が、その片側を支点として回動するようになっているので、棚部の前面を開放した状態では、鏡が前方に突出して洗面化粧台の使用の邪魔となる。よって、物を出し入れする度に一々、鏡を開閉しなくてはならず、煩わしかった。また、この構成のため鏡、およびこの鏡で覆われる棚部を大きくすることができず、その収納量が限られるという問題点があった。
【０００５】
また、図９に示したものは、鏡を横方向に摺動させることにより、棚から物を出し入れすることができ、鏡もその前方での作業の邪魔にならないが、鏡を摺動可能に支持したレールに埃が溜まり易く、特に洗面化粧台に使用した場合には、ここに水が溜まったり、整髪料や洗剤等の薬品類などが付着して埃が固着し易く、不潔になりがちで、鏡の摺動も円滑になされなくなるという問題点があった。また、このミラーキャビネットでは、鏡自体をスライド扉として用いているので、開閉操作の際にその側端面に物が当たると割れる虞れがあり、またこの開閉操作の際に直接、鏡に触れるため、鏡面が汚れ易いという問題点もあった。
【０００６】
本発明は、上記従来のミラーキャビネットが有していた問題点の解決を課題とする。
【０００７】
【課題を解決するための手段】
上記の課題を解決するために、本発明のうち、請求項１記載の発明は、収納棚が設けられたキャビネット本体の前面に、鏡がその裏面に取り付けられた摺動機構を介して水平方向に移動可能に保持されたミラーキャビネットであって、上記摺動機構が、キャビネット本体の収納棚の下面に固定された支持台と、この支持台に摺動可能に係合したスライドレールとで構成されていることを特徴とするミラーキャビネットである。
【０００８】
請求項２記載の発明は、上記請求項１記載の発明の構成に、スライドレールが枠体を介して鏡に取り付けられる構成を加えたことを特徴とする。
【００１１】
【発明の実施の形態】
以下、本発明を図示した実施の形態に基づき詳細に説明する。
【００１２】
図１は、本発明に係るミラーキャビネットの実施形態を示した洗面化粧台１の正面図、図２は、その要部拡大説明図である。図示したように本発明のミラーキャビネットは、洗面化粧台１の洗面ボウル２が設けられた天板３の後部上方の壁面を構成するように配置されており、複数の収納棚５ａ，５ｂ，５ｃが設けられたキャビネット本体５と、このキャビネット本体５の前面に取り付けられる鏡６とからなる。
【００１３】
キャビネット本体５は、壁面を構成する垂直部５ｐと、この垂直部５ｐの前方に突出した複数の収納棚５ａ，５ｂ，５ｃとを有し、例えば合成樹脂で一体成形したり、あるいは琺瑯パネルに人造大理石等の合成樹脂板を取り付けることなどにより形成されている。また、各収納棚５ａ，５ｂ，５ｃ間の縦方向には、図３の断面図並びに図４の側面図に示すように、収納棚５ｂ，５ｃを横方向に仕切る仕切壁５ｄ，５ｅが設けられている。
【００１４】
なお、図２において符号４は、キャビネット本体５の上部に設けられた照明装置を示す。また、図３並びに図４において符号１４は仕切壁５ｄ，５ｅの側面に取り付けられたコンセントを示す。
【００１５】
鏡６は、その縦方向の長さがキャビネット本体５の上下の収納棚５ａ，５ｂ，５ｃを覆える寸法で、横幅はキャビネット本体５の幅の約半分の寸法である。この鏡６は、合成樹脂製の枠体７に取り付けられており、この枠体７の裏面には、その幅方向にわたって摺動機構の一対のスライドレール９，９が上下に取り付けられている。
【００１６】
スライドレール９は、図７に示したように、断面略コ字形に形成された横長の外レール１０と、ベアリング１２を介してこの外レール１０内に摺動可能に取り付けられた内レール１１とからなり、支持台（図３に符号８で示す）に連結固定される支持部１３が、この内レール１１を介して外レール１０に摺動可能に係合している。
【００１７】
上記支持台８は、キャビネット本体５の上下の収納棚５ａ，５ｃの下側にそれぞれ固定されている。
【００１８】
本発明のミラーキャビネットは、上記の構成を有している。
【００１９】
従って、本発明のミラーキャビネットでは、収納棚５ａ，５ｂ，５ｃの扉を兼ねる鏡６は、枠体７を介してその裏面に取り付けられた上下のスライドレール９，９が、それぞれキャビネット本体５に取り付けられた支持台８で摺動可能に支持されることにより、その上下端面が開放された状態でキャビネット本体５に取り付けられる。
【００２０】
よって、図５に示すように鏡６を左方に移動させれば、収納棚５ａ，５ｂ，５ｃの右半部分への物の出し入れが行え、反対に鏡６を右方に移動させれば、収納棚５ａ，５ｂ，５ｃの左半部分の利用が可能となるものである。
【００２１】
このように本発明のミラーキャビネットでは、鏡６の下端が開放されているので、洗面化粧台１の天板３の近傍の奥行きが広くなり、このミラーキャビネットが取り付けられた洗面化粧台１の使い勝手が向上する。また、鏡６の摺動機構となるスライドレール９は、鏡６の裏側に取り付けられているので、洗面化粧台１の使用の際に、ここに水や湯、あるいは整髪料や洗剤等の薬品類がかかる虞れがない。よって、摺動機構が錆びたり、あるいは摺動機構に埃が固着したりなどしてその作動が妨げられる虞れがない。
【００２２】
図６は、本発明のミラーキャビネットの他の実施形態を示した正面図である。図示したようにこの場合は、キャビネット本体４の前面に取り付けられる鏡６１の幅をキャビネット本体４の幅とほぼ同一の大きさにしたものであり、枠体７１がこの鏡６１に対応するように大型に形成された以外、他の構成は上記実施形態のものと全く同じである。そして、このように幅広の鏡６１を用いた場合は、物の出し入れの際に鏡６１を摺動させると、その端部がキャビネット本体４の側方に突出するが、鏡６１を中央に移動させれば、収納棚５ａ，５ｂ，５ｃの前面の全てがこの鏡６１で隠蔽される。
【００２３】
なお、上記の実施の形態では、摺動機構のスライドレール９を枠体７を介して鏡６に取り付けた例を示したが、このスライドレール９は、鏡６の裏面に取り付けられれば良く、その取付法は、例えば接着等の他の手段によっても良い。
【００２４】
さらにまた、上記の実施の形態では、洗面化粧台にミラーキャビネットを取り付けた例を示したが、このミラーキャビネットは、それ自体の構成が変わらなければ、吊戸棚や浴室の収納など、どのような個所に用いることとしても良い。
【００２５】
【発明の効果】
以上説明したように、本発明のうち、請求項１記載の発明は、ミラーキャビネットの鏡をその裏面に取り付けられた摺動機構を介してキャビネット本体に取り付けたので、鏡の下方空間が広くなる。また、摺動部分に塵や埃が付着し難くなり、衛生的で清掃の手間が省かれると共に、鏡の摺動動作が妨げられる虞れもない。
【００２６】
しかも、摺動機構を支持台にスライドレールが摺動可能に係合したものとすることにより、鏡の摺動案内が確実になされるという効果がある。
【００２７】
さらに、支持台をキャビネット本体の収納棚の下面に固定することにより、収納棚の収納スペースを実質的に殆ど減じることなく、鏡を取り付けることができるという効果がある。
【００２８】
また、請求項２記載の発明は、枠体を介して摺動機構のスライドレールを取り付けることにより、スライドレールの取り付けが容易になると共に、鏡の端縁が安全に保護される。また、摺動させる際に、直接鏡面に手を触れることが防止され、鏡面が汚れ難くなる。さらに、枠体を設けることにより、その見栄えが向上すると共に、操作時の感触も良好となるものである。
【図面の簡単な説明】
【図１】本発明に係るミラーキャビネットの実施形態を示した洗面化粧台の正面図である。
【図２】図１の要部拡大説明図である。
【図３】図２のＡ−Ａ線の断面図である。
【図４】図２の左側面図である。
【図５】使用状態の正面図である。
【図６】本発明の他の実施形態を示した正面図である。
【図７】スライドレールの斜視図である。
【図８】従来例の斜視図である。
【図９】他の従来例の斜視図である。
【符号の説明】
５  キャビネット本体
５ａ，５ｂ，５ｃ  収納棚
５ｄ，５ｅ  仕切壁
５ｐ  垂直部
６，６１  鏡
７，７１  枠体
８  支持台
９  スライドレール
１０  外レール
１１  内レール
１２  ベアリング
１３  支持部
【図１】
0004274445.tif 000002
【図２】
0004274445.tif 000003
【図３】
0004274445.tif 000004
【図４】
0004274445.tif 000005
【図５】
0004274445.tif 000006
【図６】
0004274445.tif 000007
【図７】
0004274445.tif 000008
【図８】
0004274445.tif 000009
【図９】
0004274445.tif 000010